(57)【要約】【課題】  本発明は、入力される画像のノイズ測定エラーを減少させるために、空間ノイズと時間ノイズとを利用する方案を提案する。【解決手段】  入力される画像信号のピクチュアを少なくとも２個のブロックに区分し、前記各ブロックに対する輝度平均値を順次に算出する。該算出された輝度平均値と前記輝度平均値を算出したブロックを構成している各画素の輝度値に対する差を合算した第１情報を算出し、前記算出した少なくとも２個の第１情報を利用して、空間ノイズを計算する。また、前記ピクチュアの各ブロックに対する輝度値と前記ピクチュアより遅延されたピクチュアの各ブロックに対する輝度値に対する差である第２情報を算出し、前記算出した少なくとも２個の第２情報を利用して時間ノイズを計算する。【選択図】  図３
2005354703.tif 000002
【特許請求の範囲】
【請求項１】
入力される画像信号のピクチュアを少なくとも２個のブロックに分割し、前記各ブロックに対する輝度平均値を順次に算出するブロック平均算出部と、
該ブロック平均算出部から伝達された輝度平均値と前記輝度平均値を算出したブロックを構成している各画素の輝度値とに対する差を合算した第１情報を算出し、該算出した少なくとも２個の第１情報を利用して、空間ノイズを計算する空間ノイズ算出部と、
前記ピクチュアの各ブロックに対する輝度値と前記ピクチュアより遅延されたピクチュアの各ブロックに対する輝度値の差である第２情報を算出し、該算出した少なくとも２個の第２情報を利用して、時間ノイズを計算する時間ノイズ算出部と、
前記空間ノイズと時間ノイズとを利用して、前記画像に対するノイズを計算するノイズ計算部と
を備えることを特徴とする画像信号のノイズ測定装置。
【請求項２】
前記空間ノイズ算出部が、
前記第１情報を算出する空間ＭＡＤ測定部と、
該空間ＭＡＤ測定部から伝達された第１情報と空間ＭＡＤ格納部から伝達された第１情報とのうち、小さな値を有する第１情報を前記空間ＭＡＤ格納部に伝達する空間ＭＡＤ比較部と、
前記ブロック平均値測定部から伝達された平均輝度値と対応される第１情報を前記空間ＭＡＤ比較部に伝達し、前記ピクチュアの全てのブロックに対するブロック平均値を伝達されれば、前記空間ＭＡＤ比較部から伝達された第１情報を伝達する前記空間ＭＡＤ格納部と、
該空間ＭＡＤ格納部から伝達された第１情報を利用して、空間ノイズを計算する空間ノイズ計算部と
から構成されたことを特徴とする請求項１に記載の画像信号のノイズ測定装置。
【請求項３】
前記空間ＭＡＤ格納部が、
伝達された平均輝度値と各平均輝度値とに対応される第１情報を格納していることを特徴とする請求項２に記載の画像信号のノイズ測定装置。
【請求項４】
前記空間ＭＡＤ格納部が、
算出可能な平均輝度値を少なくとも２個の区間に区分し、前記伝達された平均輝度値に対応される区間の第１情報を前記空間ＭＡＤ比較部に伝達することを特徴とする請求項２に記載の画像信号のノイズ測定装置。
【請求項５】
前記空間ノイズ計算部が、
伝達された少なくとも２個の第１情報の平均値を計算し、該計算した値をノイズ計算部に伝達することを特徴とする請求項４に記載の画像信号のノイズ測定装置。
【請求項６】
前記空間ノイズ計算部が、
伝達された少なくとも２個の第１情報のうち、最低値と最大値とを除外した第１情報の平均値を計算し、該計算した値をノイズ計算部に伝達することを特徴とする請求項４に記載の画像信号のノイズ測定装置。
【請求項７】
前記時間ノイズ算出部が、
前記第２情報を算出する時間ＭＡＤ測定部と、
該時間ＭＡＤ測定部から伝達された第２情報と時間ＭＡＤ格納部から伝達された第２情報とのうち、小さな値を有する第２情報を前記時間ＭＡＤ格納部に伝達する時間ＭＡＤ比較部と、
前記ブロック平均値測定部から伝達された平均輝度値に対応される第２情報を前記時間ＭＡＤ比較部に伝達し、前記ピクチュアの全てのブロックに対するブロック平均値を伝達されれば、前記時間ＭＡＤ比較部から伝達された第２情報を伝達する前記時間ＭＡＤ格納部と、
該時間ＭＡＤ格納部から伝達された第２情報を利用して、時間ノイズを計算する時間ノイズ計算部と
から構成されたことを特徴とする請求項２に記載の画像信号のノイズ測定装置。
【請求項８】
前記時間ＭＡＤ格納部が、
伝達可能な平均輝度値を少なくとも２個の区間に区分し、前記伝達された平均輝度値を前記区間のうち１つの区間に対応することを特徴とする請求項７に記載の画像信号のノイズ測定装置。
【請求項９】
前記ノイズ計算部が、
前記空間ノイズ計算部から伝達された空間ノイズと前記時間ノイズ計算部から伝達された時間ノイズとのうち、小さな値を出力することを特徴とする請求項１に記載の画像信号のノイズ測定装置。
【請求項１０】
算出可能な平均輝度値を少なくとも２個の区間に区分し、前記ブロック平均値測定部から伝達された平均輝度値に対応される区間のカウント値を増加させる区間カウンタを備えることを特徴とする請求項１に記載の画像信号のノイズ測定装置。
【請求項１１】
各ブロックは設定された個数の画素から構成され、順次にピクチュアを形成する複数のブロックのブロック平均輝度を算出するブロック平均算出部と、
ブロック平均算出部からの算出された値と算出された値が受信される各ブロックを構成する各画素の輝度値とに基づいて、空間ノイズを算出する空間ノイズ算出部と、
現在のピクチュアの画素と現在のピクチュアに対応される遅延されたピクチュアのブロックの画素との間の関係に基づいて、時間ノイズを測定する時間ノイズ測定部と、
測定された空間及び時間ノイズに基づいたピクチュアにおけるノイズを計算するノイズ計算部と
を備えることを特徴とする画像処理装置におけるノイズ測定装置。
【請求項１２】
前記空間ノイズは、前記ブロック平均算出部から伝送された前記ブロック平均と前記ブロックを形成する各画素の前記輝度値との間の差値を求め、該求められた差値の和を求め、該和の平均を測定し、前記測定された空間ＭＡＤを格納された空間ＭＡＤと比較し、テーブルに基づいた前記空間ＭＡＤに関する平均を計算することによって測定されることを特徴とする請求項１１に記載のノイズ測定装置。
【請求項１３】
前記空間ＭＡＤは、以下の式によるものを特徴とする請求項１２に記載のノイズ測定装置。
【数１】
2005354703.tif 000009
ここで、ｍは、前記ピクチュアの水平方向に存在する画素の数、ｎは、前記ピクチュアの垂直方向に存在する画素の数である。
【請求項１４】
前記時間ノイズは、現在のピクチュア及び遅延されたピクチュアを設定された個数のブロックに分け、現在のピクチュアの前記ブロックの画素と前記遅延されたピクチュアの前記ブロックの画素との間の差を計算し、時間ＭＡＤを計算し、該時間ＭＡＤを格納された時間ＭＡＤと比較し、テーブルに基づいた時間ＭＡＤに関して平均を計算することにより測定されることを特徴とする請求項１２に記載のノイズ測定装置。
【請求項１５】
前記時間ＭＡＤは、次の式により計算されることを特徴とする請求項１４に記載のノイズ測定装置。
【数２】
2005354703.tif 000010
【請求項１６】
前記ピクチュアは、画像信号から形成されることを特徴とする請求項１４に記載のノイズ測定装置。
【請求項１７】
入力される画像信号のピクチュアを少なくとも２個のブロックに分割し、前記各ブロックに対する輝度平均値を順次に算出するステップと、
前記算出された輝度平均値と該輝度平均値を算出したブロックを構成している各画素の輝度値とに対する差を合算した第１情報を算出し、該算出した少なくとも２個の第１情報を利用して空間ノイズを計算し、
前記ピクチュアの各ブロックに対する輝度値と前記ピクチュアより遅延されたピクチュアの各ブロックに対する輝度値とに対する差である第２情報を算出し、該算出した少なくとも２個の第２情報を利用して、時間ノイズを計算するステップと、
前記空間ノイズと時間ノイズとを利用して、前記画像に対するノイズを計算するステップと
を含むことを特徴とする画像信号のノイズ測定方法。
【請求項１８】
前記空間ノイズを計算するステップが、
前記各ブロックに対する第１情報を算出するステップと、
算出可能な平均輝度値を少なくとも２個の区間に区分し、前記区間に含まれる平均輝度値を有する第１情報のうち、最も小さな第１情報を選択し、該選択された各区間に対する第１情報を伝達するステップと、
該伝達された第１情報を利用して、空間ノイズを計算するステップと
から構成されることを特徴とする請求項１７に記載の画像信号のノイズ測定方法。
【請求項１９】
前記算出可能な平均輝度値を少なくとも２個の区間に区分し、前記区間に含まれる平均輝度値が伝達されれば、前記区間のカウント値を増加させることを特徴とする請求項１８に記載の画像信号のノイズ測定方法。
【請求項２０】
前記空間ノイズを計算するステップは、
伝達された少なくとも２個の第１情報の平均値を計算することを特徴とする請求項１９に記載の画像信号のノイズ測定方法。
【請求項２１】
前記空間ノイズを計算するステップは、
伝達された少なくとも２個の第１情報のうち、最低値と最大値とを除外した第１情報の平均値を計算することを特徴とする請求項１９に記載の画像信号のノイズ測定方法。
【請求項２２】
前記時間ノイズを計算するステップは、
前記各ブロックに対する第２情報を算出するステップと、
算出可能な平均輝度値を少なくとも２個の区間に区分し、前記区間に含まれる平均輝度値を有する第２情報のうち、最も小さな第２情報を選択し、該選択された各区間に対する第２情報を伝達するステップと、
前記伝達された第２情報を利用して、時間ノイズを計算するステップと
から構成されることを特徴とする請求項１８に記載の画像信号のノイズ測定方法。
【請求項２３】
前記伝達された空間ノイズと前記伝達された時間ノイズとのうち、小さな値を出力することを特徴とする請求項１７に記載の画像信号のノイズ測定方法。
【発明の詳細な説明】
【技術分野】
【０００１】
本発明は、画像信号のノイズ測定装置及びその方法、特に入力される画像信号の空間的、時間的周波数成分にともなうノイズを測定することによって、ノイズ除去の効率向上が可能な画像信号のノイズ測定装置及びその方法に関する。
【背景技術】
【０００２】
通常、テレビやビデオテープレコーダなどのような画像信号処理処置に印加される画像信号にはノイズが混入され、画像信号に混入されたノイズは画質を劣化させる大きな原因となる。したがって、画像信号に混入されたノイズを除去するための画像信号のノイズ除去装置が多様に開発されており、そのようなノイズ除去装置は、どれくらい正確にノイズを測定できるかによってその効能が異なる。
【０００３】
図１は、従来の技術に係るノイズ測定装置の一例を示した図である。図に示されているように、ノイズ測定装置は、ＳＡＤ演算器１００、ＳＡＤ比較器１０２、第１カウンタ１０４、比較器１０６、第２カウンタ１０８、及び乗算器１１０を備える。
前記ＳＡＤ演算器１００は、入力される画像信号をピクセルから構成された複数(例えば、約１７５，０００)のブロックに分け、分けられたそれぞれのブロックに対するＳＡＤ(Ｓｕｍ  ｏｆ  Ａｂｓｏｌｕｔｅ  Ｄｉｆｆｅｒｅｎｃｅ)を計算する。
【０００４】
前記ＳＡＤ演算器１００により算出されたＳＡＤは、前記ＳＡＤ比較器１０２に伝送される。前記ＳＡＤ比較器１０２は、前記ＳＡＤ演算器１００から受信されたＳＡＤが境界値Ａ及びＢの間に存在しているか否かを判断する。前記受信されたＳＡＤが境界値Ａ及びＢの間に存在すると判断される場合、前記ＳＡＤ比較器１０２は、前記第１カウンタ１０４に存在信号(ＯＫ信号)を送信し、該存在信号により前記第１カウンタ１０４のカウント値は増加される。
【０００５】
前記第１カウンタ１０４は、ピクチュア周波数信号(ｐｉｃｔｕｒｅ  ｆｒｅｑｕｅｎｃｙ  ｓｉｇｎａｌ：Ｆｐ)によりピクチュア周期当たり１回リセットされる。また、前記第１カウンタ１０４は、ピクチュア周期当たり１回でない、他の周期(例えば、フィールド周期、複数のフィールド周期)当たり１回リセットされることもでき、この場合、第１カウンタ１０４には適切なリセット信号が適用されなければならない。
【０００６】
前記ＳＡＤ演算器１００、ＳＡＤ比較器１０２、及び第１カウンタ１０４は、サンプル周波数(ｓａｍｐｌｅ  ｆｒｅｑｕｅｎｃｙ：Ｆｓ)のクロック信号を受信し、前記受信されたＦｓによりリセットされる。前記第１カウンタ１０４によりカウントされた値は、比較器１０６に伝達され、前記比較器１０６は、伝達されたカウント値と所定値(ＮＥ)とを比較する。前記所定値(ＮＥ)は、実験的に得られた値であって、既設定された整数値である。好ましくは、ＮＥ＝４９６であり、ブロックの全体個数の０．２８％に該当する値である。前記比較器１０６により比較された結果は、前記第２カウンタ１０８に伝送される。
【０００７】
前記第２カウンタ１０８は、前記比較器１０６により比較された結果に応じてカウント値を増減させる。すなわち、前記第１カウンタ１０４によりカウントされた値がＮＥより大きければ、前記第２カウンタ１０８のカウント値は減少される。反面、前記第１カウンタ１０４によりカウントされた値がＮＥより小さければ、前記第２カウンタ１０８のカウント値は増加される。前記第２カウンタ１０８は、前記第１カウンタ１０４のリセット信号、すなわち、ピクチュア周波数信号Ｆｐのクロック信号によりリセットされる。前記第２カウンタ１０８のカウントされた値は、ノイズ測定結果を形成し、前記ＳＡＤ比較器１０２の低境界値Ａ、及び前記乗算器１１０により低境界値Ａにｆが乗算された高境界値Ｂを形成する。
前記ｆは、１．５と設定されることが好ましいが、前記低境界値Ａと固定されたオフセット値との和と設定されることができる。前記ＳＡＤ比較器１０２の高境界値Ｂが前記第２カウンタ１０８のカウント値に依存し、低境界値Ａは固定された値(例えば、０または任意の正の整数)を有するように具現化されることができる。
【０００８】
図２は、図１のＳＡＤ演算器の一例を示した図である。図に示されているように、前記ＳＡＤ演算器１００は、遅延器２００、２０４、２０８、２１０、絶対差算出器２０２、及び加算器２０６、２１２、２１４を備える。
入力される画像信号のピクセルは、前記遅延器２００により１周期遅延される。この時、ＳＡＤは、水平的に隣接されたピクセル間の差により算出されることと見なされる。
若し、前記ＳＡＤが垂直的に隣接されたピクセルの間に基づいて算出されるものであれば、前記遅延器２００は、ライン遅延器で具現化されなければならない。
前記絶対差算出器２０２は、前記遅延器２０１の入力と出力間の絶対差を算出する。前記絶対差算出器２０２により算出された絶対差値は、順次に接続された遅延器２０４、２０８、２１０に伝達される。
【０００９】
前記加算器２０６は、前記絶対差算出器２０２により算出された絶対差値と前記遅延器２０４により１次遅延された絶対差値とを加算する。前記加算器２１２は、遅延器２０８により２次遅延された絶対差値と遅延器２１０により３次遅延された絶対差値とを加算する。前記加算器２１４は、前記加算器２０６により加算された値と前記加算器２１２により加算された値とを合算する。前記加算器２１４により合算された値がＳＡＤ比較器１０２に入力されるＳＡＤ値となる。
【００１０】
ところが、上述したような従来の技術に係る画像信号のノイズ測定装置は、画像信号の空間領域に対するＳＡＤによってノイズを測定するため、画像信号の特性によってノイズ測定にエラーが発生する。例えば、画像全体がフラットな部分のない画像の場合、ノイズ測定においてエラーが発生する。
【発明の開示】
【発明が解決しようとする課題】
【００１１】
本発明は、前記のような問題点を解決するためになされたものであって、その目的は、画像信号のノイズを測定するにおいてエラーを減少させることのできる装置及びその方法を提案することである。本発明の他の目的は、フラットな領域のない画像に対するノイズ測定エラーを減少させることのできる装置及びその方法を提案することである。
【課題を解決するための手段】
【００１２】
前記本発明の目的を達成するため、入力される画像信号のピクチュアを少なくとも２個のブロックに分割し、前記各ブロックに対する輝度平均値を順次に算出するブロック平均算出部と、該ブロック平均算出部から伝達された輝度平均値と前記輝度平均値を算出したブロックを構成している各画素の輝度値とに対する差を合算した第１情報を算出し、該算出した少なくとも２個の第１情報を利用して、空間ノイズを計算する空間ノイズ算出部と、前記ピクチュアの各ブロックに対する輝度値と前記ピクチュアより遅延されたピクチュアの各ブロックに対する輝度値の差である第２情報を算出し、該算出した少なくとも２個の第２情報を利用して、時間ノイズを計算する時間ノイズ算出部と、前記空間ノイズと時間ノイズとを利用して、前記画像に対するノイズを計算するノイズ計算部とを備えることを特徴とする画像信号のノイズ測定装置を提案する。
【００１３】
前記本発明の目的を達成するため、入力される画像信号のピクチュアを少なくとも２個のブロックに分割し、前記各ブロックに対する輝度平均値を順次に算出するステップと、前記算出された輝度平均値と該輝度平均値を算出したブロックを構成している各画素の輝度値とに対する差を合算した第１情報を算出し、該算出した少なくとも２個の第１情報を利用して空間ノイズを計算し、前記ピクチュアの各ブロックに対する輝度値と前記ピクチュアより遅延されたピクチュアの各ブロックに対する輝度値とに対する差である第２情報を算出し、該算出した少なくとも２個の第２情報を利用して、時間ノイズを計算するステップと、前記空間ノイズと時間ノイズとを利用して、前記画像に対するノイズを計算するステップとを含むことを特徴とする画像信号のノイズ測定方法を提案する。
【発明の効果】
【００１４】
本発明は、ノイズを測定するにおいて、空間ノイズと時間ノイズを同時に測定することでノイズ測定エラーを減少させることができる。すなわち、フラットな領域のない画像に対して空間ノイズのみを測定することで発生されたノイズ測定エラーを減少させることができる。
なお、本発明は、上記の実施の形態に限定されるものではなく、本発明に係る技術的思想から逸脱しない範囲内で様々な変更が可能であり、それらも本発明の技術的範囲に属する。
【発明を実施するための最良の形態】
【００１５】
以下、添付された図面を参照して本発明をさらに詳細に説明する。
本発明は、画像信号の空間領域だけでなく時間領域を利用することによって測定されたノイズのエラーを減少させる方案を提案する。
図３は、本発明に係るノイズ測定装置に入力される信号を示している。前記ノイズ測定装置３０２は、現在画像信号と遅延部３００により１ピクチュア遅延された遅延画像信号を入力される。前記図３は、遅延部３００により画像信号が遅延されることと図示されているが、これに限定するものではない。すなわち、ノイズ除去器、または順次走査変換器、ピクチュア速度変換器などのような装置で１ピクチュア遅延された信号を受け入れることができる。
【００１６】
図４は、本発明に係るノイズ測定装置の一例を示している。前記ノイズ測定装置は、空間ＭＡＤ(ｍｅａｎ  ａｂｓｏｌｕｔｅ  ｄｉｆｆｅｒｅｎｃｅ)測定部４００、空間ＭＡＤ比較部４０２、空間ＭＡＤ格納部４０４、空間ノイズ計算部４０６、ブロック平均値測定部４０８、区間カウンタ４１０、時間ＭＡＤ測定部４１２、時間ＭＡＤ比較部４１４、時間ＭＡＤ格納部４１６、時間ノイズ計算部４１８、ノイズ計算部４２０から構成される。前記構成以外の構成が前記ノイズ測定装置に含まれることができるが、前記図４は、本願発明を説明するのに必要な構成だけを示している。
【００１７】
デジタル映像画面を具現化する方式は、フレームの構成方法に応じて飛越し走査(ｉｎｔｅｒｌａｃｅｄ)方式及び順次走査(ｐｒｏｇｒｅｓｓｉｖｅ)方式に区分される。図５Ａに示しているように、前記飛越し走査方式は、２つのフィールドに各々１行ずつ順に走査した後、２つのフィールドを互いに結合させることによって、１つのフレームを完成させる。すなわち、１つのフィールド(Ｔｏｐ  ｆｉｅｌｄ)は、奇数ライン(実線で図示)だけを走査し、他のフィールド(ｂｏｔｔｏｍ  ｆｉｅｌｄ)は、偶数ライン(点線で図示)だけ走査した後、２つのフィールドを互いに結合させて１つのフレームを完成させる。これに反し、図５Ｂに示された前記順次走査方式は、飛越し走査方式に比べて走査線を２倍に増やした高密度、高画質の走査方式であって、１つのフレームに画像信号を走査する方式のことをいう。このようなデジタル画像画面の具現化方式によって、飛越し走査方式では１つのフィールドが画像信号のピクチュアを構成し、順次走査方式では１つのフレームが画像信号のピクチュアを構成する。
【００１８】
図６は、１つのピクチュアを複数のブロックに分割した例を示している。前記図６によると、前記ピクチュアは横軸方向にＭ個に分割し、縦軸方向にＮ個に分割される。したがって、１つのピクチュアは、Ｍ×Ｎ個のブロックに分割される。前記Ｍ、Ｎはユーザの設定によって変わる。前記ユーザは、正確なノイズ測定のためにはＭ、Ｎを増加させ、演算量を減少させるためには前記Ｍ、Ｎを減少させることができる。
【００１９】
前記ブロック平均値測定部４０８は、入力される現在画像信号(ピクチュア)を所定個数のブロックに分割し、該分割されたそれぞれのブロックに対して輝度平均値を算出する。前記ブロック平均値測定部４０８は、入力される現在画像信号のフレームまたはフィールドを一定大きさを有する所定個数のブロックに区分する。前記所定個数のブロックに分割した例は、前記図６に示されている。
【００２０】
１つのブロックは、ｍ×ｎの画素サイズを有する。前記ｍは、水平方向の画素(ｐｉｘｅｌ)数を、前記ｎは、垂直方向の画素数を意味する。前記ブロック平均算出部４０８は、区分された各ブロックの輝度平均値を算出する。すなわち、前記ブロック平均値測定部４０８は、各ブロック内の画素の輝度値を合算し、合算された値でブロック内の全体画素個数(ｍ×ｎ)に対した輝度平均値を算出する。
【００２１】
以下、まず空間ノイズを測定する空間ノイズ測定部４３０に対し説明した後、時間ノイズを測定する時間ノイズ測定部４３２に対し説明する。
前記ブロック平均値測定部４０８は、上述したような動作をＭ×Ｎ回順次に行なうことによって、１つのピクチュアに対するブロック平均値を測定する。前記ブロック平均値測定部４０８で測定したブロック平均値は、空間ＭＡＤ測定部４００、区間カウンタ４１０、空間ＭＡＤ格納部４０４、時間ＭＡＤ格納部４１６に伝達される。
【００２２】
前記区間カウンタ４１０は、前記ブロック平均値測定部４０８から伝達されたブロック平均値を、輝度レベルを分けること(０から２５５まで)により得られる輝度領域に対応される複数の区間のうち１つの区間に対応させ、該対応された区間のカウント値を１増加させる。前記ブロック平均値測定部４０８で測定されるブロック平均値を０ないし２５５とし、前記区間カウンタ４１０が８個の区間を有すると仮定する。下記表１は、前記区間カウンタ４１０が入力されるブロック平均値を８個の区間に対応させた例を表している。
【００２３】
【表１】
2005354703.tif 000003
【００２４】
上述したように、前記区間カウンタ４１０は、前記入力されたブロック平均値を前記区間のうち１つに対応させた後、前記対応された区間のカウント値を１増加させる。下記表２は、前記区間カウンタ４１０が各区間に対するカウント値を格納している例を表している。
【００２５】
【表２】
2005354703.tif 000004
【００２６】
前記空間ＭＡＤ測定部４００は、前記ブロック平均値測定部４０８から伝達されたブロック平均値と前記ブロックを構成している各画素の輝度値との差を求める。前記空間ＭＡＤ測定部は、各画素に対する差の和を求めた後、平均値を算出する。前記空間ＭＡＤ測定部で行なわれる動作は、前記図２で説明したＳＡＤ演算器１００で行なわれる動作と同じである。ただし、前記ＳＡＤ演算器１００は、各画素に対する差を合算して出力するが、前記空間ＭＡＤ測定部４００は、各画素に対する差を合算した後、前記合算した差に対する平均値を出力する。下記式(1)は、前記空間ＭＡＤ測定部４００で行なわれる動作を数式で表現している。
【００２７】
【数１】
2005354703.tif 000005
【００２８】
前記空間ＭＡＤ比較部４０２は、前記空間ＭＡＤ測定部４００から伝達された空間ＭＡＤと前記空間ＭＡＤ格納部４０４から伝達された空間ＭＡＤとを比較する。前記空間ＭＡＤ比較部４０２は、伝達された空間ＭＡＤのうち、大きさが小さい空間ＭＡＤを前記空間ＭＡＤ格納部４０４に伝達する。
【００２９】
前記空間ＭＡＤ格納部４０４は、前記ブロック平均値測定部４０８からブロック平均値を受け入れる。前記空間ＭＡＤ格納部４０４は、前記表１ないし表２で表しているように、入力可能なブロック平均値を８個の区間に区分して格納している。前記空間ＭＡＤ格納部４０４は、前記空間ＭＡＤ比較部４０２から伝達された空間ＭＡＤを各区間別に格納する。下記表３は、前記空間ＭＡＤ格納部４０４で格納している例を表している。
【００３０】
【表３】
2005354703.tif 000006
【００３１】
前記空間ＭＡＤ格納部４０４は、ブロック平均値測定部４０８から伝達されたブロック平均値に対応して格納されている空間ＭＡＤを空間ＭＡＤ比較部４０２に伝達する。一例で、前記ブロック平均値測定部４０８から７２が伝達されれば、前記空間ＭＡＤ格納部４０４は、２４を前記空間ＭＡＤ比較部４０２に伝達する。上述したように、空間ＭＡＤ比較部４０２は、伝達された空間ＭＡＤのうち、小さな値を前記空間ＭＡＤ格納部４０４に伝達する。
【００３２】
前記空間ＭＡＤ格納部４０４は、１つのピクチュアに対する測定、比較、格納過程を行なうと、前記表３を空間ノイズ計算部４０６に伝達する。
前記空間ノイズ計算部４０６は、前記空間ＭＡＤ格納部４０４から前記表３を伝達され、前記区間カウンタ４１０から前記表２を伝達される。前記空間ノイズ計算部４０６は、伝達された前記表３を利用して、空間ＭＡＤに対した平均を計算する。もちろん区間カウント値が０である区間は、前記空間ＭＡＤに対した平均を計算するにおいて考慮しない。すなわち、前記区間１と区間８とは、前記空間ＭＡＤに対した平均を計算するにおいて考慮しない。前記空間ノイズ計算部４０６は、単純に前記表３を利用して平均を計算できる。しかし、前記空間ノイズ計算部４０６は、前記表２から伝達された各区間カウント値を考慮して平均を計算できる。すなわち、区間カウント値によって加重値を異にして平均を計算できる。または前記空間ノイズ計算部４０６は、伝達された空間ＭＡＤのうち、最も小さな空間ＭＡＤと最も大きな空間ＭＡＤを除外した残りの空間ＭＡＤに対する平均を計算できる。
前記空間ノイズ計算部４０６は、計算した空間ノイズを前記ノイズ計算部４２０に伝達する。
【００３３】
以下、時間ノイズ測定部４３２に対し述べる。前記時間ノイズを計算する構成で行なわれる動作は、前記空間ノイズを計算する構成で行なわれる動作と似ている。
前記時間ＭＡＤ測定部４１２は、現在画像信号と遅延画像信号とを所定個数のブロックに分割する。前記時間ＭＡＤ測定部４１２は、分割したブロックのうち、同じ位置にある現在画像信号のブロックと遅延画像信号のブロックを構成している画素間の差を計算する。下記式(2)は、１つのブロックがｍ×ｎ個の画素から構成されたブロックにおける前記時間ＭＡＤ測定部４１２の動作を数式で表現している。
【００３４】
【数２】
2005354703.tif 000007
【００３５】
前記時間ＭＡＤ比較部４１４は、前記時間ＭＡＤ測定部４１２から伝達された時間ＭＡＤと前記時間ＭＡＤ格納部４１６から伝達された時間ＭＡＤとを比較する。前記時間ＭＡＤ比較部４１４は、伝達された時間ＭＡＤのうち、大きさが小さな時間ＭＡＤを前記時間ＭＡＤ格納部４１６に伝達する。
【００３６】
前記時間ＭＡＤ格納部４１６は、前記ブロック平均値測定部４０８からブロック平均値を受け入れる。前記時間ＭＡＤ格納部４１６は、前記表１と表２で表しているように、入力可能なブロック平均値を８個の区間に区分して格納している。前記時間ＭＡＤ格納部４１６は、前記時間ＭＡＤ比較部４１４から伝達された時間ＭＡＤを各区間別に格納する。
前記時間ＭＡＤ格納部４１６は、ブロック平均値測定部から伝達されたブロック平均値に対応して格納されている時間ＭＡＤを時間ＭＡＤ比較部４１４に伝達する。前記時間ＭＡＤ格納部４１６は、１つのピクチュアに対する測定、比較、格納過程を行なうと、表４で表している各区間別時間ＭＡＤを時間ノイズ計算部４１８に伝達する。
【００３７】
【表４】
2005354703.tif 000008
【００３８】
前記時間ノイズ計算部４１８は、前記時間ＭＡＤ格納部４１６から前記表４を伝達され、前記区間カウンタ４１０から前記表２を伝達される。前記時間ノイズ計算部４１８は、伝達された前記表４を利用して、時間ＭＡＤに対した平均を計算する。もちろん、区間カウント値が０である区間は、前記時間ＭＡＤに対した平均を計算するにおいて考慮しない。すなわち、前記区間１と区間８とは、前記時間ＭＡＤに対した平均を計算するにおいて考慮しない。前記時間ノイズ計算部４１８は、単純に前記表４を利用して平均を計算できる。しかし、前記時間ノイズ計算部４１８は、前記表２から伝達された各区間に対するカウント値を考慮して平均を計算できる。または前記時間ノイズ計算部４１８は、伝達された時間ＭＡＤのうち、最も小さな時間ＭＡＤと最も大きな時間ＭＡＤを除外した残りの時間ＭＡＤに対する平均を計算できる。
【００３９】
前記時間ノイズ計算部４１８は、計算した時間ノイズを前記ノイズ計算部４２０に伝達する。
前記ノイズ計算部４２０は、前記空間ノイズ計算部４０６から伝達された空間ノイズと時間ノイズ計算部４１８から伝達された時間ノイズとのうち、小さな値を出力する。または前記ノイズ計算部４２０は、前記空間ノイズ計算部４０６から伝達された空間ノイズと時間ノイズ計算部４１８から伝達された時間ノイズとの平均を出力できる。前記ノイズ計算部４２０から出力される値が現在画像信号に対するノイズである。
【００４０】
図７は、本発明に係るノイズ測定装置の他の例を示している。前記図７は、前記図４とは異なり、時間ＭＡＤ測定部４１２に現在画像信号に対するブロック平均値と遅延画像信号に対するブロック平均値とが伝達される。遅延ブロック平均値測定部７００で行なわれる動作は、前記ブロック平均値測定部４０８で行なわれる動作と同じである。前記時間ＭＡＤ測定部４１２は、各ブロックに対するブロック平均値を伝達されることによって、演算量を減少させることができる。すなわち、前記時間ＭＡＤ測定部４１２は、各ブロックに対する平均値を伝達されて比較することで、画素を伝達されて比較する前記図４に比べて演算量を減少させることができる。
【図面の簡単な説明】
【００４１】
【図１】従来の技術に係るノイズ測定装置の一例を示した図である。
【図２】図１のＳＡＤ演算器の一例を示した図である。
【図３】本発明に係るノイズ測定に用いられる画像信号を示した図である。
【図４】本発明に係るノイズ測定装置の構造を示した図である。
【図５Ａ】図４の動作を説明するために、飛越し走査方式を示した図である。
【図５Ｂ】図４の動作を説明するために、順次走査方式を示した図である。
【図６】本発明に複数のブロックに分割されたピクチュアを示した図である。
【図７】本発明に係るノイズ測定装置の構造を示した他の図である。
【符号の説明】
【００４２】
３００      遅延部
３０２      ノイズ測定器
４００      空間ＭＡＤ測定部
４０２      空間ＭＡＤ比較部
４０４      空間ＭＡＤ格納部
４０６      空間ノイズ計算部
４０８      ブロック平均値測定部
４１０      区間カウンタ
４１２      時間ＭＡＤ測定部
４１４      時間ＭＡＤ比較部
４１６      時間ＭＡＤ格納部
４１８      時間ノイズ計算部
４２０      ノイズ計算部
７００      遅延ブロック平均値測定部
【図１】
2005354703.tif 000011
【図２】
2005354703.tif 000012
【図３】
2005354703.tif 000013
【図４】
2005354703.tif 000014
【図５Ａ】
2005354703.tif 000015
【図５Ｂ】
2005354703.tif 000016
【図６】
2005354703.tif 000017
【図７】
2005354703.tif 000018